Podtech/llm-jp-corpus-v4-ja_patent huggingface dataset:
【手続補正書】
【提出日】平成27年12月18日(2015.12.18)
【手続補正１】
【補正対象書類名】明細書
【補正対象項目名】発明の名称
【補正方法】変更
【補正の内容】
【発明の名称】位置決め機構及び印刷装置
【手続補正２】
【補正対象書類名】明細書
【補正対象項目名】０００１
【補正方法】変更
【補正の内容】
【０００１】
本発明は、位置決め機構及び印刷装置に関する。
【手続補正３】
【補正対象書類名】明細書
【補正対象項目名】００２１
【補正方法】変更
【補正の内容】
【００２１】
本発明は、記録媒体の斜行を抑止しながら記録媒体を引き出せる位置決め機構及び印刷装置を提供することを目的とする。
【手続補正４】
【補正対象書類名】明細書
【補正対象項目名】００２２
【補正方法】変更
【補正の内容】
【００２２】
上記課題を解決するために、本発明に係る位置決め機構は、断面形状がドーナッツ形状となるように記録媒体が巻回されたロール体の穴部に挿通される通し軸と、前記通し軸を軸にして回転可能なように貫通孔に前記通し軸が挿通されるとともに、前記ロール体を両側から挟み込むように前記通し軸の両側に設置される規制部材と、前記ロール体が収容されるフレームに固設されているともに前記記録媒体が前記ロール体から引き出される側に配置され、前記規制部材における開放端側に設けられた係合部が前記規制部材に係合されることにより前記規制部材を介して前記ロール体を位置決めする位置決め部材と、
を備えたことを特徴とする。
また、本発明に係る印刷装置は、断面形状がドーナッツ形状となるように記録媒体が巻回されたロール体から前記記録媒体を引き出して前記記録媒体に印刷する印刷装置であって、前記ロール体の穴部に挿通される通し軸と、前記通し軸を軸にして回転可能なように貫通孔に前記通し軸が挿通されるとともに、前記ロール体を両側から挟み込むように前記通し軸の両側に設置される規制部材と、前記ロール体が収容されるフレームに固設されているともに前記記録媒体が前記ロール体から引き出される側に配置され、前記規制部材における開放端側に設けられた係合部が前記規制部材に係合されることにより前記規制部材を介して前記ロール体を位置決めする位置決め部材と、を備えたことを特徴とする。
【手続補正５】
【補正対象書類名】明細書
【補正対象項目名】００２３
【補正方法】変更
【補正の内容】
【００２３】
本発明によれば、記録媒体の斜行を抑止しながら記録媒体を引き出せる位置決め機構及び印刷装置を提供することができる。
【手続補正６】
【補正対象書類名】特許請求の範囲
【補正対象項目名】全文
【補正方法】変更
【補正の内容】
【特許請求の範囲】
【請求項１】
断面形状がドーナッツ形状となるように記録媒体が巻回されたロール体の穴部に挿通される通し軸と、
前記通し軸を軸にして回転可能なように貫通孔に前記通し軸が挿通されるとともに、前記ロール体を両側から挟み込むように前記通し軸の両側に設置される規制部材と、
前記ロール体が収容されるフレームに固設されているともに前記記録媒体が前記ロール体から引き出される側に配置され、前記規制部材における開放端側に設けられた係合部が前記規制部材に係合されることにより前記規制部材を介して前記ロール体を位置決めする位置決め部材と、
を備えたことを特徴とする位置決め機構。
【請求項２】
前記位置決め部材は、幅方向サイズが異なる複数種類の前記ロール体に対応可能なように、前記係合部が係合される位置が前記幅方向サイズに対応させて予め規定されていることを特徴とする請求項１に記載の位置決め機構。
【請求項３】
前記フレームに固設され、前記通し軸を介して前記ロール体を水平移動させるためのレールを備えたことを特徴とする請求項１に記載の位置決め機構。
【請求項４】
断面形状がドーナッツ形状となるように記録媒体が巻回されたロール体から前記記録媒体を引き出して前記記録媒体に印刷する印刷装置であって、
前記ロール体の穴部に挿通される通し軸と、
前記通し軸を軸にして回転可能なように貫通孔に前記通し軸が挿通されるとともに、前記ロール体を両側から挟み込むように前記通し軸の両側に設置される規制部材と、
前記ロール体が収容されるフレームに固設されているともに前記記録媒体が前記ロール体から引き出される側に配置され、前記規制部材における開放端側に設けられた係合部が前記規制部材に係合されることにより前記規制部材を介して前記ロール体を位置決めする位置決め部材と、
を備えたことを特徴とする印刷装置。
【手続補正書】
【提出日】平成28年3月29日(2016.3.29)
【手続補正１】
【補正対象書類名】特許請求の範囲
【補正対象項目名】全文
【補正方法】変更
【補正の内容】
【特許請求の範囲】
【請求項１】
印刷を行う印刷処理部と、
前記印刷処理部と接続し、前記印刷処理部との通信を制御する演算処理部と、
前記演算処理部および前記印刷処理部を収容するケースと、
前記演算処理部および前記印刷処理部への電源のオンとオフを切り換える電源スイッチと、
前記ケースに固定されて、前記電源スイッチを包囲する枠部材と、
前記枠部材の開口部を封鎖して前記電源スイッチを操作不能に遮蔽する閉位置、及び前記電源スイッチの遮蔽を解除する開位置へ移動し、前記枠部材に支持されている蓋部材と、
を有することを特徴とするプリンター。
【請求項２】
請求項１において、
前記枠部材は、前記開口部を間に挟んだ両側で対向する一対の支持部を備えており、
前記蓋部材は、前記一対の支持部の間に配置され、前記一対の支持部によって当該一対の支持部が対向している対向方向に延びる軸線回りに回動可能に支持されており、
前記軸線は、前記蓋部材が前記閉位置に配置されているときに、前記対向方向および前記開口部の開口方向と直交する直交方向における前記蓋部材の一方の端部分を通過しており、
前記蓋部材には、前記一対の支持部のそれぞれの側に向かって前記軸線と同軸に突出する一対の支軸が設けられており、
各支持部には、各支軸を回動可能な状態で支持する凹部が設けられていることを特徴とするプリンター。
【請求項３】
請求項２において、
各支軸には、当該支軸の先端から離れ、前記蓋部材の他方の端部分に向かう方向に傾斜する第１傾斜面が設けられていることを特徴とするプリンター。
【請求項４】
請求項３において、
各支軸には、前記第１傾斜面とは異なる傾斜方向であって、当該支軸の先端から離れる方向に向かって、前記軸線から離れる方向に傾斜する第２傾斜面が設けられていることを特徴とするプリンター。
【請求項５】
請求項４において、
前記第２傾斜面は、前記蓋部材が前記閉位置に配置されているときに、前記開口部から離れる方向に傾斜していることを特徴とするプリンター。
【請求項６】
請求項２ないし５のうちのいずれかの項において、
前記蓋部材が前記閉位置に配置されているときに、前記直交方向における前記蓋部材の他方の端側部分には、前記枠部材に係止可能な係止部が設けられていることを特徴とするプリンター。
【請求項７】
請求項１ないし６のうちのいずれかの項において、
前記枠部材における前記ケースへの固定面に一方の粘着面が貼り付けられている両面テープを備えていることを特徴とするスイッチカバー。
【手続補正２】
【補正対象書類名】明細書
【補正対象項目名】発明の名称
【補正方法】変更
【補正の内容】
【発明の名称】プリンター
【手続補正書】
【提出日】平成28年7月15日(2016.7.15)
【手続補正１】
【補正対象書類名】特許請求の範囲
【補正対象項目名】全文
【補正方法】変更
【補正の内容】
【特許請求の範囲】
【請求項１】
印刷媒体に画像を形成する画像形成装置に用いられる光書き込み装置であって、
電流量に応じた強度で発光する複数の発光点と、
前記発光点に流れる電流量を設定するための設定値を保持する複数の保持手段であって、前記複数の発光点よりも多く設けられている複数の保持手段と、
前記保持手段により保持されている前記設定値に基づいて前記発光点に電流を順次供給する供給手段と、
前記供給手段が前記発光点に電流を供給している発光期間において、該発光点への電流の供給に用いられている前記保持手段以外の前記保持手段を選択する選択手段と、
前記選択手段により選択された前記保持手段に、前記供給手段により電流を供給されている前記発光点の次の発光期間において用いられる前記設定値を書き込む書き込み手段と、
を備えているとともに、
前記供給手段は、前記複数の保持手段の内の一部に相当する複数の前記保持手段を用いて、前記複数の発光点の内の少なくとも一部に相当する複数の前記発光点に電流を同時に供給し、
前記選択手段は、前記供給手段が前記複数の発光点の内の少なくとも一部に相当する複数の前記発光点に電流を供給している期間において、該複数の発光点への電流の供給に用いられている前記保持手段以外の前記保持手段を選択すること、
を特徴とする光書き込み装置。
【請求項２】
印刷媒体に画像を形成する画像形成装置に用いられる光書き込み装置であって、
電流量に応じた強度で発光する複数の発光点と、
前記発光点に流れる電流量を設定するための設定値を保持する複数の保持手段であって、前記複数の発光点よりも多く設けられている複数の保持手段と、
前記保持手段により保持されている前記設定値に基づいて前記発光点に電流を順次供給する供給手段と、
前記供給手段が前記発光点に電流を供給している発光期間において、該発光点への電流の供給に用いられている前記保持手段以外の前記保持手段を選択する選択手段と、
前記選択手段により選択された前記保持手段に、前記供給手段により電流を供給されている前記発光点の次の発光期間において用いられる前記設定値を書き込む書き込み手段と、
を備え、
前記複数の保持手段が前記複数の発光点にまたがって共通して使用されていること、
を特徴とする光書き込み装置。
【請求項３】
前記供給手段は、ビデオ信号に応じた期間だけ前記発光点に電流を供給すること、
を特徴とする請求項１または２に記載の光書き込み装置。
【請求項４】
前記各発光点のそれぞれには、複数の前記保持手段が対応するように設けられており、
前記選択手段は、前記発光点に対応する複数の前記保持手段の内、該発光点への電流の供給に用いられている前記保持手段以外の前記保持手段を選択すること、
を特徴とする請求項１ないし請求項３のいずれかに記載の光書き込み装置。
【請求項５】
前記保持手段は、コンデンサであること、
を特徴とする請求項１ないし請求項４のいずれかに記載の光書き込み装置。
【請求項６】
前記書き込み手段は、デジタル信号である前記電流設定値をアナログ信号に変換するＤ／Ａコンバータを含んでいること、
を特徴とする請求項１ないし請求項５のいずれかに記載の光書き込み装置。
【請求項７】
前記書き込み手段は、前記保持手段に接続されたスイッチ及び電流設定値に応じた期間だけ該スイッチを導通させるタイマーを含んでいること、
を特徴とする請求項１ないし請求項５のいずれかに記載の光書き込み装置。
【請求項８】
前記請求項１ないし請求項７のいずれかに記載の光書き込み装置を備えていること、
を特徴とする画像形成装置。
【手続補正２】
【補正対象書類名】明細書
【補正対象項目名】０００７
【補正方法】変更
【補正の内容】
【０００７】
本発明の一形態に係る光書き込み装置は、印刷媒体に画像を形成する画像形成装置に用いられる光書き込み装置であって、電流量に応じた強度で発光する複数の発光点と、前記発光点に流れる電流量を設定するための設定値を保持する複数の保持手段であって、前記複数の発光点よりも多く設けられている複数の保持手段と、前記保持手段により保持されている前記設定値に基づいて前記発光点に電流を順次供給する供給手段と、前記供給手段が前記発光点に電流を供給している発光期間において、該発光点への電流の供給に用いられている前記保持手段以外の前記保持手段を選択する選択手段と、前記選択手段により選択された前記保持手段に、前記供給手段により電流を供給されている前記発光点の次の発光期間において用いられる前記設定値を書き込む書き込み手段と、を備えているとともに、前記供給手段は、前記複数の保持手段の内の一部に相当する複数の前記保持手段を用いて、前記複数の発光点の内の少なくとも一部に相当する複数の前記発光点に電流を同時に供給し、前記選択手段は、前記供給手段が前記複数の発光点の内の少なくとも一部に相当する複数の前記発光点に電流を供給している期間において、該複数の発光点への電流の供給に用いられている前記保持手段以外の前記保持手段を選択すること、を特徴とする。
【手続補正書】
【提出日】平成28年7月11日(2016.7.11)
【手続補正１】
【補正対象書類名】特許請求の範囲
【補正対象項目名】全文
【補正方法】変更
【補正の内容】
【特許請求の範囲】
【請求項１】
インクを吐出するノズルが配列した記録ヘッドを用いて、入力された入力画像データに基づいて記録媒体上の領域に画像を記録する記録手段と、
前記領域に対して前記記録ヘッドから吐出されるインクの状態に関する情報を取得する取得手段と、
前記取得手段により取得された前記情報に基づいて、複数の項目の中から前記画像に対して検査を行う項目を決定する決定手段と、
前記決定手段により決定された項目について、前記画像を検査する検査手段と、
を備えることを特徴とする画像処理装置。
【請求項２】
前記情報は、前記記録ヘッドの温度に関する情報であることを特徴とする請求項１に記載の画像処理装置。
【請求項３】
前記情報は、前記記録ヘッドから吐出されるインクの粘度に関する情報であることを特徴とする請求項１に記載の画像処理装置。
【請求項４】
前記記録ヘッドは複数色のインクを吐出し、
前記取得手段は、インク色毎に前記情報を取得することを特徴とする請求項１から３のいずれか１項に記載の画像処理装置。
【請求項５】
前記入力画像データに基づいて、インク色毎に前記画像を記録するために前記記録ヘッドから吐出されるインク滴の数をカウントするカウント手段をさらに備え、
前記決定手段は、前記カウント手段によりカウントされた前記数に基づいて、検査を行う項目を決定することを特徴とする請求項４に記載の画像処理装置。
【請求項６】
前記決定手段は、前記カウント手段によりカウントされた前記数が所定の閾値以上であるインク色に対応する前記情報に基づいて、検査を行う項目を決定することを特徴とする請求項５に記載の画像処理装置。
【請求項７】
前記入力画像データは、前記複数色のインクに対応する２値データまたは多値データであることを特徴とする請求項４から６のいずれか１項に記載の画像処理装置。
【請求項８】
前記記録ヘッドから吐出されるインクの粘度を示す情報は、前記ノズルが前回インク滴を吐出してからの経過時間であることを特徴とする請求項３に記載の画像処理装置。
【請求項９】
前記取得手段は、前記記録ヘッドにおいて前記ノズルの配列する方向における複数箇所について、前記記録ヘッドの温度に関する情報を取得することを特徴とする請求項２に記載の画像処理装置。
【請求項１０】
前記取得手段は、前記記録ヘッドが前記領域を記録する際の前記ノズルの配列する方向と交差する方向における複数箇所について、前記記録ヘッドの温度に関する情報を取得することを特徴とする請求項９に記載の画像処理装置。
【請求項１１】
前記決定手段が決定する項目は、インク滴量変化による濃度差ムラ、インク滴の吐出し難さによるかすれ、インク濃度変化による濃度差ムラ、インク滴着弾位置ずれによる濃度差スジのうち少なくとも１つを含むことを特徴とする請求項１から１０のいずれか１項に記載の画像処理装置。
【請求項１２】
前記検査手段は、前記記録手段により記録された前記画像を読み取る読取手段を備えることを特徴とする請求項１から１１のいずれか１項に記載の画像処理装置。
【請求項１３】
前記検査手段は、前記読取手段により読み取った結果と、入力画像データと、に基づいて検査を行うことを特徴とする請求項１２に記載の画像処理装置。
【請求項１４】
前記検査手段は、前記決定手段により決定された項目に基づくサイズの検査領域に基づいて前記画像を検査することを特徴とする請求項１３に記載の画像処理装置。
【請求項１５】
前記検査手段は、前記読取手段により読み取ったデータ及び前記入力画像データを標準色空間におけるデータに変換し、変換した各データの色差を比較することにより検査を行うことを特徴とする請求項１３または１４に記載の画像処理装置。
【請求項１６】
前記複数の項目は、前記検査領域の少なくとも一方の長さが異なることを特徴とする請求項１４に記載の画像処理装置。
【請求項１７】
前記記録ヘッドの温度に関する情報は、前記領域を記録したときの温度を示す情報であることを特徴とする請求項２に記載の画像処理装置。
【請求項１８】
インクを吐出するノズルが配列した記録ヘッドを用いて、入力された入力画像データに基づいて記録媒体上の領域に画像を記録する記録工程と、
前記記録工程において前記領域に対して前記記録ヘッドから吐出されるインクの状態に関する情報を取得する取得工程と、
前記取得工程において取得した前記情報に基づいて、複数の項目の中から前記画像に対して検査を行う項目を決定する決定工程と、
前記決定工程において決定した項目について、前記画像を検査する検査工程と、
を備えることを特徴とする画像処理方法。
【手続補正２】
【補正対象書類名】明細書
【補正対象項目名】０００６
【補正方法】変更
【補正の内容】
【０００６】
上記課題を鑑み、本願発明は、インクを吐出するノズルが配列した記録ヘッドを用いて、入力された入力画像データに基づいて記録媒体上の領域に画像を記録する記録手段と、前記領域に対して前記記録ヘッドから吐出されるインクの状態に関する情報を取得する取得手段と、前記取得手段により取得された前記情報に基づいて、複数の項目の中から前記画像に対して検査を行う項目を決定する決定手段と、前記決定手段により決定された項目について、前記画像を検査する検査手段と、を備えることを特徴とする。
【手続補正書】
【提出日】平成28年6月13日(2016.6.13)
【手続補正１】
【補正対象書類名】特許請求の範囲
【補正対象項目名】全文
【補正方法】変更
【補正の内容】
【特許請求の範囲】
【請求項１】
吐出口からインクを吐出するための吐出エネルギー発生素子として電気熱変換素子を備えた複数の記録ヘッド用基板をスピンナーテーブルに保持し、前記スピンナーテーブルの回転と、洗浄液を噴射しつつ前記スピンナーテーブルの回転中心を通って移動する洗浄ノズルの往復移動と、によって、前記複数の記録ヘッド用基板を洗浄する洗浄方法であって、
前記回転中心上に前記電気熱変換素子が位置しないように、前記複数の記録ヘッド用基板をスピンナーテーブルに保持することを特徴とする記録ヘッド用基板の洗浄方法。
【請求項２】
前記複数の記録ヘッド用基板は、共通のウエハー上に構成された後に、前記スピンナーテーブルに保持された前記ウエハーを所定の切断ラインに沿って切断することにより、前記スピンナーテーブルに保持されたまま分離され、
前記回転中心上に前記電気熱変換素子が位置しないように、前記ウエハーを前記スピンナーテーブルに保持することを特徴とする請求項１に記載の記録ヘッド用基板の洗浄方法。
【請求項３】
前記ウエハーは、ダイシングテープを介して前記スピンナーテーブルに保持されることを特徴とする請求項２に記載の記録ヘッド用基板の洗浄方法。
【請求項４】
前記切断ラインが位置する前記記録ヘッド用基板の間に前記回転中心が位置するように、前記ウエハーを前記スピンナーテーブルに保持することを特徴とする請求項２または３に記載の記録ヘッド用基板の洗浄方法。
【請求項５】
前記切断ラインの交差点が位置する前記記録ヘッド用基板の間に前記回転中心が位置するように、前記ウエハーを前記スピンナーテーブルに保持することを特徴とする請求項２または３に記載の記録ヘッド用基板の洗浄方法。
【請求項６】
前記ウエハーの中心は、前記切断ラインの交差点が位置する前記記録ヘッド用基板の間に位置することを特徴とする請求項２から５のいずれかに記載の記録ヘッド用基板の洗浄方法。
【請求項７】
前記回転中心の周囲に、第１、第２、第３、および第４の記録ヘッド用基板が前記スピンナーテーブルの回転方向に順次並ぶように位置し、
前記第１の記録ヘッド用基板において前記回転中心に最も近い位置の電気熱変換素子と、前記第３の記録ヘッド用基板において前記回転中心に最も近い位置の電気熱変換素子と、を結ぶ仮想線を第１の結線とし、前記第２の記録ヘッド用基板において前記回転中心に最も近い位置の電気熱変換素子と、前記第４の記録ヘッド用基板において前記回転中心に最も近い位置の電気熱変換素子と、を結ぶ仮想線を第２の結線としたときに、前記第１および第２の結線の交点が前記回転中心上に位置することを特徴とする請求項１から６のいずれかに記載の記録ヘッド用基板の洗浄方法。
【請求項８】
前記洗浄ノズルから前記複数の記録ヘッド用基板のそれぞれに対して単位面積当たりに噴射される洗浄液の量を等しくするように、前記洗浄ノズルの移動速度、および前記洗浄ノズルから単位時間当たりに噴射される洗浄液の量の少なくとも一方を制御することを特徴とする請求項１から７のいずれかに記載の記録ヘッド用基板の洗浄方法。
【手続補正書】
【提出日】平成28年7月19日(2016.7.19)
【手続補正１】
【補正対象書類名】特許請求の範囲
【補正対象項目名】全文
【補正方法】変更
【補正の内容】
【特許請求の範囲】
【請求項１】
液滴を吐出する記録ヘッドのノズルが配列されるノズル配列方向に対して分割された複数の領域それぞれについて、前記ノズルの内部に設けられる吐出用アクチュエータの吐出性能に関する特性値を取得する取得手段と、
前記複数の領域のうち前記ノズル配列方向に連続する２つの領域の前記特性値が所定の範囲内となるように前記特性値を補正する補正手段と、
前記補正手段により補正された前記特性値に基づいて、前記複数の領域それぞれにおける前記吐出用アクチュエータの駆動条件を決定する決定手段と、
を有することを特徴とする記録装置。
【請求項２】
前記補正手段は、前記ノズル配列方向に連続する２つの前記領域間で生じる記録濃度ムラの発生度合いに基づいて、前記特性値を補正することを特徴とする請求項１に記載の記録装置。
【請求項３】
前記補正手段は、記録媒体の種類ごとに前記所定の範囲を定めることを特徴とする請求項１又は２に記載の記録装置。
【請求項４】
前記記録ヘッドは、前記複数の領域それぞれに測定用抵抗を有し、
前記取得手段は、前記測定用抵抗の抵抗値に基づいて前記特性値を取得する、ことを特徴とする請求項１乃至３のいずれか１項に記載の記録装置。
【請求項５】
前記記録ヘッドの温度を検出する温度検出手段、を有し、
前記決定手段は、前記補正手段により補正される前記特性値と前記温度取得手段により検出される温度とに基づいて、前記複数の領域それぞれにおける前記吐出用アクチュエータの駆動条件を決定する、
ことを特徴とする請求項１乃至４のいずれか１項に記載の記録装置。
【請求項６】
前記吐出用アクチュエータは、加熱素子であり、
前記記録ヘッドは、前記ノズル内の液体を加熱発泡させて吐出する液滴で記録を行う、
ことを特徴とする請求項１乃至５のいずれか１項に記載の記録装置。
【請求項７】
液滴を吐出する記録ヘッドのノズルが配列されるノズル配列方向に対して分割された複数の領域それぞれについて、前記ノズル内部に設けられる吐出用アクチュエータの吐出性能に関する特性値を取得する取得工程と、
前記複数の領域のうち前記ノズル配列方向に連続する２つの領域の前記特性値が所定の範囲内となるように前記特性値を補正する補正工程と、
前記補正工程において補正された前記特性値に基づいて、前記複数の領域それぞれにおける前記駆動条件を決定する決定工程と、
を有することを特徴とする補正方法。
【手続補正２】
【補正対象書類名】明細書
【補正対象項目名】０００７
【補正方法】変更
【補正の内容】
【０００７】
上記課題を解決するため、本発明に係る記録装置は、液滴を吐出する記録ヘッドのノズルが配列されるノズル配列方向に対して分割された複数の領域それぞれについて、前記ノズルの内部に設けられる吐出用アクチュエータの吐出性能に関する特性値を取得する取得手段と、前記複数の領域のうち前記ノズル配列方向に連続する２つの領域の前記特性値が所定の範囲内となるように前記特性値を補正する補正手段と、前記補正手段により補正された前記特性値に基づいて、前記複数の領域それぞれにおける前記吐出用アクチュエータの駆動条件を決定する決定手段と、を有することを特徴とする。
【手続補正書】
【提出日】平成28年2月10日(2016.2.10)
【手続補正１】
【補正対象書類名】特許請求の範囲
【補正対象項目名】全文
【補正方法】変更
【補正の内容】
【特許請求の範囲】
【請求項１】
合成樹脂の射出成形により中空管状の管状成形体を成形するための金型であって、
管状成形体の一方の端面である第１端面の形状を少なくとも規定する固定側金型と、
管状成形体の他方の端面である第２端面の形状を少なくとも規定する移動側金型と、
固定側金型と移動側金型の間に配置されて、管状成形体の筒状外周面の一部の形状を規定すると共に、金型の開閉に伴って型開き方向に対し交差する方向に移動可能にされたスライド金型と、
管状成形体の内周面の形状を規定するコア金型と、を有しており、
前記管状成形体は、筒状外周面に少なくとも１つのリング状の溝部を有するものであり、
スライド金型は、少なくとも前記筒状外周面の前記溝部の形状を規定しており、
第１端面に最も近い溝部よりも第１端面に近い領域の筒状外周面の形状を固定側金型が規定しており、
コア金型の端面を固定側金型の樹脂注入口に対向配置してディスクゲートを構成した、
管状成形体用金型。
【請求項２】
リング状溝部が２つ以上形成されており、
第２端面に最も近い溝部よりも第２端面に近い領域の筒状外周面の形状を移動側金型が規定する請求項１に記載の管状成形体用金型。
【請求項３】
請求項１または請求項２のいずれかに記載の管状成形体用金型を用いて、ディスクゲートから合成樹脂を金型のキャビティに充填して管状成形体を射出成形する、管状成形体の製造方法。
【手続補正２】
【補正対象書類名】明細書
【補正対象項目名】発明の名称
【補正方法】変更
【補正の内容】
【発明の名称】管状成形体用金型および管状成形体の製造方法
【手続補正３】
【補正対象書類名】明細書
【補正対象項目名】００１１
【補正方法】変更
【補正の内容】
【００１１】
第１発明においては、リング状溝部が２つ以上形成されており、第２端面に最も近い溝部よりも第２端面に近い領域の筒状外周面の形状を移動側金型が規定することが好ましい（第２発明）。また、本発明は、第１発明や第２発明の金型を用いて、ディスクゲートから合成樹脂を金型のキャビティに充填して管状成形体を射出成形する、管状成形体の製造方法である。
【手続補正書】
【提出日】平成28年7月15日(2016.7.15)
【手続補正１】
【補正対象書類名】明細書
【補正対象項目名】０００７
【補正方法】変更
【補正の内容】
【０００７】
上記目的を達成するために本発明は、画像形成装置から順次受け取るシートを積載してシート束を形成する積載手段と、前記積載手段により形成されたシート束を折る折り手段と、前記折り手段により折られたシート束の折り目部を該シート束の表紙面に垂直な方向から押圧するプレス処理を行うプレス手段と、前記プレス手段の動作に関する所定のモードを設定する設定手段と、前記設定手段により前記所定のモードが設定されている場合は、前記折られたシート束に前記プレス処理を実行させるよう前記プレス手段を制御し、前記設定手段により前記所定のモードが設定されていない場合は、前記シート束のシート枚数が所定枚数未満であれば、前記折られたシート束に前記プレス処理を行わせず、前記シート束のシート枚数が前記所定枚数以上であれば、前記折られたシート束に前記プレス処理を実行させるよう前記プレス手段を制御する制御手段と、を有することを特徴とする。
【手続補正２】
【補正対象書類名】明細書
【補正対象項目名】００９６
【補正方法】変更
【補正の内容】
【００９６】
ステップＳ３０９では、ＣＰＵ９５２は、シートＮが、当該シートＮが属することになるシート束Ｋのうちの最後のシートであるか否かを判別する。その判別の結果、ＣＰＵ９５２は、シートＮが最後のシートである場合は処理をステップＳ３１０に進める一方、シートＮが最後のシートでない場合は処理をステップＳ３１６に進める。ステップＳ３０９からステップＳ３１６に進んだ場合は、ＲＡＭ９５４上に配置された変数ＤにはステップＳ３０３でクリアされた０が設定されている。
【手続補正３】
【補正対象書類名】特許請求の範囲
【補正対象項目名】全文
【補正方法】変更
【補正の内容】
【特許請求の範囲】
【請求項１】
画像形成装置から順次受け取るシートを積載してシート束を形成する積載手段と、
前記積載手段により形成されたシート束を折る折り手段と、
前記折り手段により折られたシート束の折り目部を該シート束の表紙面に垂直な方向から押圧するプレス処理を行うプレス手段と、
前記プレス手段の動作に関する所定のモードを設定する設定手段と、
前記設定手段により前記所定のモードが設定されている場合は、前記折られたシート束に前記プレス処理を実行させるよう前記プレス手段を制御し、前記設定手段により前記所定のモードが設定されていない場合は、前記シート束のシート枚数が所定枚数未満であれば、前記折られたシート束に前記プレス処理を行わせず、前記シート束のシート枚数が前記所定枚数以上であれば、前記折られたシート束に前記プレス処理を実行させるよう前記プレス手段を制御する制御手段と、
を有することを特徴とするシート処理装置。
【請求項２】
前記所定枚数は、前記シート束のシートのサイズに基づいて設定された枚数であることを特徴とする請求項１に記載のシート処理装置。
【請求項３】
前記所定枚数は、前記積載手段によりシート束が形成されるのに要する積載処理時間が、前記プレス手段により前記シート束に前記プレス処理を行うのに要するプレス処理時間よりも大きくならないようなシート束を構成する枚数に基づき決定されることを特徴とする請求項２に記載のシート処理装置。
【請求項４】
前記積載処理時間は、前記画像形成装置においてシート１枚当たりに要する画像形成時間を規定する時間情報に基づいて決定されることを特徴とする請求項３に記載のシート処理装置。
【請求項５】
前記プレス処理時間は、シートのサイズと前記シート束のシート枚数とに基づいて決定されることを特徴とする請求項３または４に記載のシート処理装置。
【請求項６】
前記シートのサイズと前記所定枚数との関係を規定した情報を保持する保持手段を有し、前記制御手段は、前記保持手段により保持された情報を参照して前記所定枚数を設定することを特徴とする請求項２に記載のシート処理装置。
【請求項７】
前記制御手段は、前記プレス手段により前記シート束に前記プレス処理を実行させるのに要するプレス処理時間が前記積載手段によりシート束が形成されるのに要する積載処理時間より大きくなる場合は、前記プレス処理時間と前記積載処理時間との差に応じた時間間隔を画像形成において空けるように、前記画像形成装置に指示を送ることを特徴とする請求項１または２に記載のシート処理装置。
【請求項８】
前記プレス手段は、前記シート束の折り目部をニップし、前記折り目部に沿って移動するローラ対を有することを特徴とする請求項１乃至７の何れか１項に記載のシート処理装置。
【請求項９】
更に、前記シート束の表紙面に平行な方向から前記シート束の折り目部を平坦化するよう押圧する潰し処理を行う潰し手段を有し、
前記制御手段は、前記シート束のシート枚数が前記所定枚数より多い第２の所定枚数以上である場合、前記シート束に前記潰し処理を実行させるよう前記潰し手段を制御することを特徴とする請求項１乃至８の何れか１項に記載のシート処理装置。
【請求項１０】
請求項１〜９のいずれか１項に記載のシート処理装置と、前記シート処理装置を通信可能に接続し、画像形成を行ったシートを前記シート処理装置に排出する画像形成装置とを備えることを特徴とする画像形成システム。
【手続補正書】
【提出日】平成28年1月15日(2016.1.15)
【手続補正１】
【補正対象書類名】特許請求の範囲
【補正対象項目名】全文
【補正方法】変更
【補正の内容】
【特許請求の範囲】
【請求項１】
エスカレータ用ステップを取り外して作業する際に、隣接するステップ軸間に取り付けられるエスカレータの作業用足場であって、
前記隣接するステップ軸間に形成される開口部の段差領域を覆うとともに、上階側の前記ステップ軸に取り付けられる２つの傾斜板取付部を有する傾斜板と、
前記開口部の水平領域を覆うとともに、下階側の前記ステップ軸に取り付けられる２つの足場取付部を有する足場板と、
前記傾斜板と前記足場板とを回動可能に連結する連結部と、
を備え、
前記２つの傾斜板取付部は、前記傾斜板の側面における前記ステップ軸の軸方向両端よりも外側の位置に設けられており、
前記２つの足場取付部は、前記足場板の底面における前記ステップ軸の軸方向両端よりも内側の位置に所定の間隔をあけて設けられており、
前記傾斜板及び前記足場板の前記ステップ軸の軸方向と直交する方向に沿った長さをそれぞれＬＵ，ＬＤとし、前記隣接するステップ軸間の長さをＬＳとしたときに、ＬＵ＋ＬＤ＞ＬＳの関係式を満たすことを特徴とするエスカレータの作業用足場。
【請求項２】
請求項１に記載のエスカレータの作業用足場において、
ＬＵ＜ＬＤの関係式を満たすことを特徴とするエスカレータの作業用足場。
【手続補正２】
【補正対象書類名】明細書
【補正対象項目名】０００７
【補正方法】変更
【補正の内容】
【０００７】
本発明に係るエスカレータの作業用足場は、エスカレータ用ステップを取り外して作業する際に、隣接するステップ軸間に取り付けられるエスカレータの作業用足場であって、前記隣接するステップ軸間に形成される開口部の段差領域を覆うとともに、上階側の前記ステップ軸に取り付けられる２つの傾斜取付部を有する傾斜板と、前記開口部の水平領域を覆うとともに、下階側の前記ステップ軸に取り付けられる２つの足場取付部を有する足場板と、前記傾斜板と前記足場板とを回動可能に連結する連結部と、を備え、前記２つの傾斜板取付部は、前記傾斜板の側面における前記ステップ軸の軸方向両端よりも外側の位置に設けられており、前記２つの足場取付部は、前記足場板の底面における前記ステップ軸の軸方向両端よりも内側の位置に所定の間隔をあけて設けられており、前記傾斜板及び前記足場板の前記ステップ軸の軸方向と直交する方向に沿った長さをそれぞれＬＵ，ＬＤとし、前記隣接するステップ軸間の長さをＬＳとしたときに、ＬＵ＋ＬＤ＞ＬＳの関係式を満たすことを特徴とする。
【手続補正３】
【補正対象書類名】明細書
【補正対象項目名】００１６
【補正方法】変更
【補正の内容】
【００１６】
傾斜板２６は、隣接するステップ軸２２間に形成される開口部２４の段差領域２７を覆う平板である。傾斜板２６は、適当な強度を有する材料で構成され、例えば、ステンレスを用いて構成される。
【手続補正４】
【補正対象書類名】明細書
【補正対象項目名】００２５
【補正方法】変更
【補正の内容】
【００２５】
さらに、図４に示されるように、傾斜板２６及び足場板２８の長さＬｂは、ステップ軸２２の長さＬｓより短い。このため、足場板２８によって覆われた領域は足場としつつ、残りの開口領域を利用してトラス内の機器等の点検作業を行うことができる。また、必要に応じて所定箇所の作業用足場１０を取り外して点検作業のためのより広い開口部２４を設けることもできる。
【手続補正５】
【補正対象書類名】明細書
【補正対象項目名】００２７
【補正方法】変更
【補正の内容】
【００２７】
１０  作業用足場、１２  エスカレータ、１４  乗客、１６  傾斜部、１８  直線部、２０  ステップ、２２  ステップ軸、２４  開口部、２６  傾斜板、２８  足場板、３０連結部、２７  段差領域、２９  水平領域、３２  傾斜板取付部、３４  足場板取付部。
【手続補正６】
【補正対象書類名】図面
【補正対象項目名】図１
【補正方法】変更
【補正の内容】
【図１】
2015020844.tif 000001
【手続補正書】
【提出日】平成28年7月19日(2016.7.19)
【手続補正１】
【補正対象書類名】特許請求の範囲
【補正対象項目名】全文
【補正方法】変更
【補正の内容】
【特許請求の範囲】
【請求項１】
画像が形成されたシートに綴じ処理を行うシート処理装置において、
搬送経路に沿って搬送されたシートを受け入れ、受け入れた複数枚のシートから成るシート束を形成する束形成手段と、
前記束形成手段により形成されたシート束に綴じ処理を施すシート処理手段と、
前記束形成手段により形成されたシート束を搬送方向と直交する幅方向にシフトさせる束シフト手段と、
綴じ処理が指定されたにもかかわらず前記シート処理手段による綴じ処理が可能な枚数を超えることにより綴じ処理されなかったシート束が、前記束シフト手段により当該シート処理手段による綴じ処理が可能な枚数のシート束を排出する際の第一の排出位置とは前記幅方向において異なる第二の排出位置へ排出されるように前記束シフト手段を制御する制御手段と、を有することを特徴とする、
シート処理装置。
【請求項２】
前記シート処理手段は、前記綴じ処理が可能な枚数が異なる複数種類の綴じ処理機能が実行できるように構成されており、
前記制御手段は、前記複数種類の綴じ処理のうち前記綴じ処理が可能な枚数が最大となる第一の綴じ処理機能に比べて、当該綴じ処理が可能な枚数が少ない第二の綴じ処理機能の実行が指定された場合、当該第二の綴じ処理機能における処理可能枚数を超えた際には、前記第一の綴じ処理機能における処理可能枚数を超えていなくても前記束シフト手段により前記排出位置をシフトさせることを特徴とする、
請求項１に記載のシート処理装置。
【請求項３】
前記束形成手段により形成されたシート束が前記シート処理手段による綴じ処理が可能な枚数であるか否かを判別する判別手段をさらに有しており、
前記制御手段は、前記判別手段により綴じ処理が可能であると判別された場合に、前記束シフト手段により前記シート束を前記綴じ処理が施される所定の綴じ処理位置までシフトさせることを特徴とする、
請求項１又は２に記載のシート処理装置。
【請求項４】
前記第二の排出位置は前記第一の排出位置よりもシート束の視認性が良い位置であることを特徴とする、
請求項１、２、又は３に記載のシート処理装置。
【請求項５】
前記形成したシート束の部数を表す部番号を記憶する記憶手段をさらに有し、
前記制御手段は、前記記憶手段から取得した部番号に応じて、前記第一の綴じ処理機能における前記第二の排出位置とは前記幅方向において異なる第三の排出位置へ前記排出位置をシフトさせるように制御することを特徴とする、
請求項４に記載のシート処理装置。
【請求項６】
前記シート処理装置は、排出部より排出されたシートが積載され、且つ、積載された当該シートを画像形成装置外へ取り出すための開口部が設けられた空間を有する当該画像形成装置の当該空間内に配置されることを特徴とする、
請求項１乃至５いずれか一項に記載のシート処理装置。
【請求項７】
前記シート処理装置は、前記第一の排出位置又は前記第二の排出位置に排出されたシート束を前記画像形成装置の開口部を介して取り出す際の取出方向が、前記束シフト手段によるシフトの方向と同じ方向になるように前記空間内において配置されることを特徴とする、
請求項６に記載のシート処理装置。
【請求項８】
シートに画像形成を行う画像形成装置において、
前記シートを搬送経路に沿って搬送する搬送手段と、
前記搬送されたシートを受け入れ、受け入れた複数枚のシートから成るシート束を形成する束形成手段と、
前記束形成手段により形成されたシート束に綴じ処理を施すシート処理手段と、
前記束形成手段により形成されたシート束を搬送方向と直交する幅方向にシフトさせる束シフト手段と、
綴じ処理が指定されたにもかかわらず前記シート処理手段による綴じ処理が可能な枚数を超えることにより綴じ処理されなかったシート束が、前記束シフト手段により当該シート処理手段による綴じ処理が可能な枚数のシート束を排出する際の第一の排出位置とは前記幅方向において異なる第二の排出位置へ排出されるように前記束シフト手段を制御する制御手段と、を有することを特徴とする、
画像形成装置。
【手続補正２】
【補正対象書類名】明細書
【補正対象項目名】０００９
【補正方法】変更
【補正の内容】
【０００９】
本発明のシート処理装置は、画像が形成されたシートに綴じ処理を行うシート処理装置において、搬送経路に沿って搬送されたシートを受け入れ、受け入れた複数枚のシートから成るシート束を形成する束形成手段と、前記束形成手段により形成されたシート束に綴じ処理を施すシート処理手段と、前記束形成手段により形成されたシート束を搬送方向と直交する幅方向にシフトさせる束シフト手段と、綴じ処理が指定されたにもかかわらず前記シート処理手段による綴じ処理が可能な枚数を超えることにより綴じ処理されなかったシート束が、前記束シフト手段により当該シート処理手段による綴じ処理が可能な枚数のシート束を排出する際の第一の排出位置とは前記幅方向において異なる第二の排出位置へ排出されるように前記束シフト手段を制御する制御手段と、を有することを特徴とする。
【手続補正３】
【補正対象書類名】明細書
【補正対象項目名】００１０
【補正方法】変更
【補正の内容】
【００１０】
本発明によれば、シート処理手段による綴じ処理が可能な枚数を超えたシート束（例外束）は第一の排出位置とは幅方向において異なる第二の排出位置へシフトした後に排出される。これにより、綴じ処理せずに排出したシート束の視認性を向上させることができる。
【手続補正書】
【提出日】平成28年8月22日(2016.8.22)
【手続補正１】
【補正対象書類名】特許請求の範囲
【補正対象項目名】請求項１
【補正方法】変更
【補正の内容】
【請求項１】
上面と、前記上面に向き合う底面と、前記上面及び底面の間に介在する周壁面とを備え、複数の衛生物品を、前記底面から前記上面に向かう高さ方向に積み重ねて収納可能な収納容器であって、
前記周壁面に、切断されたとき前記衛生物品の取り出し口が形成される取出口切断誘導線が設けられ、前記取出口切断誘導線が、前記高さ方向において前記底面寄りの位置に、前記底面から離間して配置されることを特徴とする収納容器。
【手続補正２】
【補正対象書類名】特許請求の範囲
【補正対象項目名】請求項８
【補正方法】変更
【補正の内容】
【請求項８】
前記収納容器が段ボール紙で形成され、前記段ボール紙がコーティング処理された前記衛生物品に接する面を有する請求項１から７のいずれかに記載の収納容器。
【手続補正３】
【補正対象書類名】明細書
【補正対象項目名】００２８
【補正方法】変更
【補正の内容】
【００２８】
上面１１と、上面１１に向き合う底面１２と、上面１１及び底面１２の間に介在する周壁面１３とを備え、複数の衛生物品を、底面１２から上面１１に向かう高さ方向Ｈに積み重ねて収納可能な収納容器１０であって、周壁面１３に、切断されたとき衛生物品の取り出し口１４が形成される取出口切断誘導線２１が設けられ、取出口切断誘導線２１が、高さ方向Ｈにおいて底面１２寄りの位置に、底面１２から離間して配置される。
【手続補正４】
【補正対象書類名】明細書
【補正対象項目名】００２９
【補正方法】変更
【補正の内容】
【００２９】
上記段落００２８に開示した本発明は、少なくとも下記の実施の形態を含むことができる。該実施の形態は、分離して又は互いに組み合わせて採択することができる。
（１）取出口切断誘導線２１が屈曲又は湾曲した形状の線分であり、取出口切断誘導線２１に沿って周壁面１３を切断したとき、取出口切断誘導線２１で囲まれた領域が周壁面１３に連結している。
（２）周壁面１３に、切断されたとき高さ方向に延びる覗き窓１５が形成される覗き窓切断誘導線２２を備える。
（３）上面１１が互いに重なり合う少なくとも２層のシート材２３で構成され、収納容器１０の最も外側に位置するシート材に、互いに並行して延びる一対の取手部切断誘導線２４により画定されるとともに、切り起こしたとき取っ手部１６を形成する取手部形成領域１６ａが設けられている。
（４）取り出し口１４の、衛生物品の高さ方向Ｈにおける開口寸法が、収納容器１０に収納される状態における衛生物品の厚みの０．８〜３．０倍である。
（５）底面１２が、収納容器１０の内側に向け切り起したとき突起部１７が形成される突起部切断誘導線２５を備える。
（６）周壁面１３が、一枚のシート部材２０の両端部を、シート部材２０の表面と裏面とが重なり合うように接合して筒状にすることにより形成され、両端部が重なり合う部分において収納容器１０の外側に位置するシート部材２０の端部に、切り起したとき周壁面１３にフック部１８を形成可能なフック部切断誘導線２６を有する。
（７）収納容器が段ボール紙で形成され、段ボール紙がコーティング処理された衛生物品に接する面を有する
（８）衛生物品が、収納容器内１０に個別包装されずに収納されている。
（９）衛生物品が胴回り開口部と股下域とを有するおむつであり、おむつが、胴回り開口部と股下域とが重なり合うように２つ折りにされるとともに、おむつの折り返し部が取り出し口側１４に向けられた状態で収納される。
【手続補正書】
【提出日】平成28年7月20日(2016.7.20)
【手続補正１】
【補正対象書類名】特許請求の範囲
【補正対象項目名】全文
【補正方法】変更
【補正の内容】
【特許請求の範囲】
【請求項１】
シートを搬送する第１搬送ローラ対と、
前記第１搬送ローラ対よりも上流に配置され、シートを搬送する第２搬送ローラ対と、
前記第１搬送ローラ対よりも下流に配置され、搬送されるシートの先端が当接する当接部と、
前記第１搬送ローラ対を離間する離間機構と、
前記第１搬送ローラ対と前記第２搬送ローラ対との間でシートにループが形成されるように前記第１の搬送ローラ対によるシートの搬送速度と前記第２搬送ローラ対によるシートの搬送速度とを制御し、且つ、前記ループが形成されたシートの先端が前記当接部に到達する前に前記第１搬送ローラ対を離間させるように前記離間機構を制御する制御部と、を有することを特徴とする斜行補正装置。
【請求項２】
前記第１搬送ローラ対を駆動する第１の駆動部と、
前記第２搬送ローラ対を駆動する第２の駆動部と、を有し、
前記制御部は、前記第１の駆動部を制御することで前記第１の搬送ローラ対によるシートの搬送速度を制御し、前記第２の駆動部を制御することで前記第２搬送ローラ対によるシートの搬送速度を制御する請求項１に記載の斜行補正装置。
【請求項３】
前記制御部は、搬送されるシートに関する情報を取得し、取得されたシートに関する情報に基づいて、前記第１搬送ローラ対によるシートの搬送速度と前記第２搬送ローラ対によるシートの搬送速度との速度差を決定することを特徴とする請求項１または２に記載の斜行補正装置。
【請求項４】
前記制御部は、搬送されるシートが第３の坪量の場合の前記速度差を、搬送されるシートが前記第３の坪量よりも低い第４の坪量の場合の前記速度差よりも大きくする請求項３に記載の斜行補正装置。
【請求項５】
前記制御部は、搬送されるシートに関する情報を取得し、取得されたシートに関する情報に基づいて、前記離間機構による前記第１搬送ローラ対の離間の要否を決定することを特徴とする請求項１乃至４のいずれか１項に記載の斜行補正装置。
【請求項６】
前記制御部は、搬送されるシートが第１の坪量の場合は前記離間機構による前記第１搬送ローラ対の離間を行うことを決定し、搬送されるシートが前記第１の坪量よりも低い第２の坪量の場合は前記離間機構による離間を行わないことを決定することを特徴とする請求項５に記載の斜行補正装置。
【請求項７】
前記制御部は、前記当接部に先端が当接された後の、搬送される先行シートの後端が前記第１搬送ローラ対を通過した後であって、前記先行シートの次に搬送される後続シートの先端が前記第１搬送ローラ対に到達する前に、前記第１搬送ローラ対を着させることを特徴とする請求項１乃至６のいずれか１項に記載の斜行補正装置。
【請求項８】
前記当接部は、前記第１搬送ローラ対の下流に配置された第３搬送ローラ対のニップ部であることを特徴とする請求項１乃至７のいずれか１項に記載の斜行補正装置。
【請求項９】
前記第１搬送ローラ対の下流に配置され、シートを搬送する第３搬送ローラ対を有し、
前記当接部は、前記第３搬送ローラ対のニップ部よりも上流においてシートの先端が当接するシャッターを含むことを特徴とする請求項１乃至７のいずれか１項に記載の斜行補正装置。
【請求項１０】
前記第１搬送ローラ対と前記第３搬送ローラ対を同一の駆動源で駆動することを特徴とする請求項８又は９に記載の斜行補正装置。
【請求項１１】
前記第３搬送ローラ対よりも下流に設けられ、シートに画像を形成する画像形成部と、請求項１乃至１０のいずれか１項に記載の斜行補正装置とを有することを特徴とする画像形成装置。
【手続補正２】
【補正対象書類名】明細書
【補正対象項目名】０００８
【補正方法】変更
【補正の内容】
【０００８】
本発明は、シートを搬送する第１搬送ローラ対と、前記第１搬送ローラ対よりも上流に配置され、シートを搬送する第２搬送ローラ対と、前記第１搬送ローラ対よりも下流に配置され、搬送されるシートの先端が当接する当接部と、前記第１搬送ローラ対を離間する離間機構と、前記第１搬送ローラ対と前記第２搬送ローラ対との間でシートにループが形成されるように前記第１の搬送ローラ対によるシートの搬送速度と前記第２搬送ローラ対によるシートの搬送速度とを制御し、且つ、前記ループが形成されたシートの先端が前記当接部に到達する前に前記第１搬送ローラ対を離間させるように前記離間機構を制御する制御部と、を有することを特徴とする斜行補正装置である。
【手続補正書】
【提出日】平成28年4月5日(2016.4.5)
【手続補正１】
【補正対象書類名】明細書
【補正対象項目名】００５５
【補正方法】変更
【補正の内容】
【００５５】
【表２】
2015020982.tif 000001
【手続補正２】
【補正対象書類名】明細書
【補正対象項目名】００５６
【補正方法】変更
【補正の内容】
【００５６】
表２に示すように、ジョテイシエキス未添加製剤である参考例１０はｐＨ２．７において沈殿を生じたのに対し、クコシエキス未添加製剤である参考例９は沈殿を生じなかった。この結果から、低ｐＨとすることにより生じる沈殿の原因はクコシエキスに由来することがわかった。
【手続補正書】
【提出日】平成28年6月22日(2016.6.22)
【手続補正１】
【補正対象書類名】特許請求の範囲
【補正対象項目名】全文
【補正方法】変更
【補正の内容】
【特許請求の範囲】
【請求項１】
肌状態改善用化粧料を調製する方法であって、
角層中の酵素を選択する工程、化粧料又は化粧料の油性成分を適用したときの前記選択した酵素の活性を測定する工程、及び前記工程で測定した酵素の活性を指標に化粧料の油性成分の量を最適化する工程を含む、化粧料の調製方法。
【請求項２】
前記角層中の酵素が、カリクレイン−５、カスパーゼ−１４、カタラーゼ、及びＮＡＤＨデヒドロゲナーゼからなる群から選択される少なくとも１種を含む、請求項１に記載の化粧料の調製方法。
【請求項３】
前記選択した酵素の活性を測定する工程において、化粧料又は化粧料の油性成分を適用しないときに比べて酵素の活性が低下する場合、前記化粧料の油性成分の量を最適化する工程において、化粧料中の油性成分の含有量を減量する、請求項１または２に記載の化粧料の調製方法。
【請求項４】
前記角層中の酵素を選択する工程において、少なくとも３種の酵素を選択し、
前記選択した酵素の活性を測定する工程において、少なくとも３種の酵素活性が化粧料又は化粧料の油性成分を適用しないときに比べて向上する油性成分量を、前記化粧料の油性成分の量を最適化する工程において選択する、請求項１乃至３のいずれか１項に記載の化粧料の調製方法。
【請求項５】
前記化粧料の油性成分の量を最適化する工程は、油性成分の含有量が実質的にフリーとなるように行われる、請求項１乃至４のいずれか１項に記載の化粧料の調製方法。
【請求項６】
前記肌状態は、肌の明るさ、毛穴の目立ち、しわ、及び肌の凹凸からなる群から選択される少なくとも１種を含む、請求項１乃至５のいずれか１項に記載の化粧料の調製方法。
【請求項７】
角層中の酵素を指標に化粧料を評価する方法であって、
角層中の酵素を選択する工程、及び化粧料を前記選択した酵素に適用した際の酵素活性の変化を指標に、化粧料を評価する工程、を含む、化粧料の評価方法。
【請求項８】
前記選択された角層中の酵素がカリクレイン−５、カスパーゼ−１４、カタラーゼ、及
びＮＡＤＨデヒドロゲナーゼからなる群から選択される少なくとも１種を含む、を含む、請求項７に記載の化粧料の評価方法。
【請求項９】
前記角層中の酵素を選択する工程において、少なくとも３種の酵素を選択し、前記化粧料を評価する工程において、少なくとも３種の酵素活性が化粧料を適用しないときに比べて向上する化粧料を、肌状態改善効果を有すると評価する、請求項７または８に記載の化粧料の評価方法。
【請求項１０】
前記肌状態は、肌の明るさ、毛穴の目立ち、しわ、および肌の凹凸からなる群から選択される少なくとも１種を含む、請求項９に記載の化粧料の評価方法。
【手続補正２】
【補正対象書類名】図面
【補正対象項目名】図１３
【補正方法】変更
【補正の内容】
【図１３】
2015020992.tif 000001